(57)【要約】【課題】通気量を増加させ、モータおよびブラシ機構を十分に冷却できる電動送風機を提供する。また、本電動送風機を備えた電気掃除機を提供する。【解決手段】本電動送風機は、遠心ファンと、この遠心ファンおよび整流板部が収容されたファンカバーと、このファンカバーが一端に取付けられ、整流板部からの空気流が流入する筒状のモータハウジングと、このモータハウジングに収容されたモータとを備え、このモータの略矩形の鉄心は、モータハウジングの内周から対向するように突出して設けられた２個の支持部によって支持される。また、本電気掃除機は、上記電動送風機を備える。【選択図】  図５
2010116866.tif 000002
【特許請求の範囲】
【請求項１】
遠心ファンと、
この遠心ファンから吹き出された空気が流入する整流板部と、
前記遠心ファンおよび前記整流板部が収容されたファンカバーと、
このファンカバーが一端に取付けられ、かつ前記整流板部からの空気流が流入し、他端近傍に排気孔が設けられた筒状のモータハウジングと、
このモータハウジングに収容されたモータとを備え、
このモータの略矩形の鉄心は、前記モータハウジングの内周から対向するように突出して設けられた２個の支持部によって支持されることを特徴とする電動送風機。
【請求項２】
前記支持部は、鉄心の略矩形の対向する頂角を支持する位置に設けられることを特徴とする請求項１に記載の電動送風機。
【請求項３】
前記支持部は、奥行き方向に短い突起であることを特徴とする請求項１に記載の電動送風機。
【請求項４】
請求項１ないし３のいずれか１項に記載の電動送風機を備えることを特徴とする電気掃除機。
【発明の詳細な説明】
【技術分野】
【０００１】
本発明は電動送風機およびこれを用いた電気掃除機に係り、特にモータ内を通過する風量が増加するようにモータの構造を改良した電動送風機およびこれを用いた電気掃除機に関する。
【背景技術】
【０００２】
従来の電動送風機は、モータの出力軸に遠心ファンを取付け、この遠心ファンをファンカバーで気密に被う。遠心ファンは上下円盤状のプレートとこのプレートに固定されたブレードから構成され、遠心ファンを回転させ、この遠心ファンの中心に設けた空気吸込口から空気を吸い込み、ファン外周に排出させ、送風を行う。
【０００３】
そして、モータとファンカバー間には、遠心ファンからの排気風をモータ部の内部に案内する整流板部が配置され、ファンカバーのモータ部ケースフランジ部への圧入により、整流板部は固定される。
【０００４】
また、モータは、有底で排気孔が設けられた円筒状のモータハウジングに収容される。
【０００５】
このモータの収容は、図６に示すように、モータの正方形の鉄心７５の４角に角取りされた被支持部７５ａを設け、この被支持部７５ａをモータハウジング５３の内周面５３ａに当接して、位置決めし、支持、固定され、鉄心７５に設けた取付部材７５ｂに穿設されたねじ孔７５ｃに螺合するねじによって、モータハウジング５３に螺着される。
【０００６】
モータがモータハウジング５３に収容された状態で、鉄心７５と内周面５３ａ間に形成された空間からなる通気路７６は、鉄心７５の４角に設けた被支持部７５ａが内周面５３ａに当接することで、４分割されるため、通気路７６を流れる気流が、旋回流あるいは半回流（円弧状流）に流れるのが阻害され、また、通気路７６が狭められるため、通気量を増加させることができず、モータおよびブラシ機構の冷却が十分でなかった。
【０００７】
なお、通気量を増加させるために、通気路の形状を改良した電動送風機が提案されている（例えば、特許文献１参照）。
【０００８】
しかしながら、特許文献１に記載の電動送風機は、図６に示す従来の電動送風機と同様に通気路が４分割されるため、通気路を流れる気流が、旋回流あるいは半回流に流れるのが阻害され、通気量を増加させることができず、モータおよびブラシ機構の冷却が十分でない。
【特許文献１】特開２００１−１６５０９２号公報
【発明の開示】
【発明が解決しようとする課題】
【０００９】
本発明は上述した事情を考慮してなされたもので、通気量を増加させ、モータおよびブラシ機構を十分に冷却できる電動送風機を提供することを目的とする。
【００１０】
また、通気量を増加させ、モータおよびブラシ機構を十分に冷却できる電動送風機を備えた電気掃除機を提供することを目的とする。
【課題を解決するための手段】
【００１１】
上述した目的を達成するため、本発明に係る電動送風機は、遠心ファンと、この遠心ファンから吹き出された空気が流入する整流板部と、前記遠心ファンおよび前記整流板部が収容されたファンカバーと、このファンカバーが一端に取付けられ、かつ前記整流板部からの空気流が流入し、他端近傍に排気孔が設けられた筒状のモータハウジングと、このモータハウジングに収容されたモータとを備え、このモータの略矩形の鉄心は、前記モータハウジングの内周から対向するように突出して設けられた２個の支持部によって支持されることを特徴とする。
【００１２】
また、本発明に係る電気掃除機は、上記電動送風機を備えることを特徴とする。
【発明の効果】
【００１３】
本発明に係る電動送風機によれば、通気量を増加させ、モータおよびブラシ機構を十分に冷却できる電動送風機を提供することができる。
【００１４】
また、本発明に係る電気掃除機によれば、通気量を増加させ、モータおよびブラシ機構を十分に冷却できる電動送風機を備えた電気掃除機を提供することができる。
【発明を実施するための最良の形態】
【００１５】
本発明の一実施形態に係る電動送風機および電気掃除機について、図１〜図５を参照して説明する。
【００１６】
図１は、本発明に係る電気掃除機の外観を示す斜視図である。
【００１７】
図１に示すように、本実施形態に係る電気掃除機１は、掃除機本体２と、集塵ホース３と、手元操作管４と、把持部５と、操作部６と、延長管７と、吸込口体８とを備える。
【００１８】
掃除機本体２は接続口２ａを有する。この接続口２ａには、集塵ホース３の一端が着脱自在に接続される。掃除機本体２には、塵埃分離集塵部（図示省略）と、電動送風機１２とが収容される。また、掃除機本体２には、電動送風機１２の排気が吐出される本体排気口（図示省略）が形成される。さらに、掃除機本体２は、制御部（図示省略）や、電動送風機１２に電力を導く電源コード１３を備える。電源コード１３の自由端部には、電源プラグ１４が形成される。
【００１９】
集塵ホース３は、可撓性を有し、湾曲自在な細長略円筒状に形成される。集塵ホース３の一端は、接続口２ａに着脱自在に接続される。集塵ホース３は、掃除機本体２の内部に連通される。
【００２０】
手元操作管４の一端は、集塵ホース３の他端に設けられる。手元操作管４は、集塵ホース３を介して掃除機本体２の内部に連通される。
【００２１】
把持部５は、電気掃除機１の使用者が把持して電気掃除機１を操作するものである。把持部５は、手元操作管４の他端部に突設され、集塵ホース３が設けられた手元操作管４の一端部に向けて湾曲させて形成される。
【００２２】
操作部６は、把持部５に設けられる。電気掃除機１の使用者は、操作部６を操作して電気掃除機１を複数の駆動モードに設定できる。操作部６は、電気掃除機１の運転を停止させる切スイッチ６ａや、電気掃除機１の運転を開始させる起動スイッチ６ｂなどを有する。
【００２３】
延長管７は、伸縮可能な細長略円筒状に形成される。この延長管７の一端は、手元操作管４の他端に着脱自在に接続される。延長管７は、手元操作管４、および集塵ホース３を介して掃除機本体２の内部に連通される。
【００２４】
吸込口体８は、延長管７の一端に着脱自在に接続される。吸込口体８は、延長管７、手元操作管４、および集塵ホース３を介して掃除機本体２の内部に連通される。吸込口体８は、吸込口（図示省略）を有する。この吸込口は、床面などの被掃除面に吸込口体８を配置すると、被掃除面に対向する。
【００２５】
電気掃除機１を運転すると、電動送風機１２が作動して、掃除機本体２の内に負圧が作用する。この負圧は接続口２ａから集塵ホース３と手元操作管４と延長管７とを経て吸込口体８に作用する。負圧が作用すると、電気掃除機１は吸込口体８の吸込口から空気とともに被掃除面に溜まった塵埃を吸い込んで被掃除面を掃除する。吸込口体８に吸い込まれた含塵空気は、掃除機本体２に収容された塵埃分離集塵部によって空気と塵埃とに分離される。分離された塵埃は塵埃分離集塵部に集塵される。他方、分離された空気は、電動送風機１２に吸い込まれて、掃除機本体２の本体排気口から吐出される。
【００２６】
図２は、本発明に係る電動送風機を部分的に切り欠いて示した側面図である。
【００２７】
図２に示すように、電気掃除機１の電動送風機１２は、吸気口２１を有する遠心ファン部２２と、排気口２３を有するモータ部２４とから構成される。
【００２８】
なお、説明を容易にするために以下、図２に示す姿勢を基本姿勢とし、実線矢Ｘ方向を前方として前後の方向説明を行う。
【００２９】
遠心ファン部２２は、吸気口２１を有するファンカバー２６と、ファンカバー２６に収容されるとともに、吸気口２１に対向させた吸込口２７を有する遠心ファン２８と、ファンカバー２６に収容されるとともに、遠心ファン２８の周囲に配置された整流板部２９とから構成される。
【００３０】
ファンカバー２６は、底面部３１と、略円筒状の側面部３２とを有し、略有底円筒状に一体に形成される。ファンカバー２６には、遠心ファン２８と、整流板部２９とが収容される。底面部３１は、その中央部に略円形の吸気口２１を有する。吸気口２１から吸い込まれた空気は、遠心ファン２８に案内される。底面部３１の吸気口２１の周縁部には、環状のシール部材３４が設けられる。シール部材３４は、多孔質のポリテトラフロロエチレン樹脂の積層材や、紙と発泡紙の積層材を用いて形成される。
【００３１】
遠心ファン２８は、モータ部２４によって回転される。遠心ファン２８は、その回転時に空気との摩擦によって発生する熱に対する耐熱性や、回転時の慣性や重量などを考慮して、例えばアルミニウム合金などを用いて形成される。また、遠心ファン２８は、上板３６と、下板３７と、複数のファン翼３８とを備える。遠心ファン２８は、上板３６と、下板３７と、ファン翼３８とで区画された複数の渦巻状の吸気風路３９を有する。
【００３２】
上板３６は略円板状に形成される。上板３６は、その中心部分に吸込口２７を有する。吸込口２７は、ファンカバー２６の吸気口２１に対向させて配置される。上板３６の吸込口２７の縁部は、吸気口２１側に湾曲される。すなわち、上板３６は、吸込口２７を中心に下板３７側に向けて拡開状に形成される。吸込口２７の周縁部は、シール部材３４に食い込むように挿入される。
【００３３】
下板３７は、上板３６と略同径の略円板状に形成される。下板３７は、その中心部分にモータ部２４が嵌挿される嵌挿孔４０を有する。
【００３４】
ファン翼３８は動翼である。ファン翼３８は、上板３６および下板３７を離間させて、上板３６および下板３７のそれぞれに接合される。ファン翼３８は、電動送風機１２の長手軸直交方向に放射状に設けられ、かつ渦巻状の壁状に形成される。ファン翼３８は、遠心ファン２８の吸込口２７側に位置された一方の端部から、遠心ファン２８の吐出口４１側に位置された他方の端部までの全長に亘って、上板３６および下板３７に挟持される。
【００３５】
なお、遠心ファン２８は、モータ部２４によって、ファン翼３８が中心から径方向に巻く渦の反対方向に回転される。
【００３６】
整流板部２９は、遠心ファン部２２と、モータ部２４との間に設けられた整流板保持体４３に設けられる。また、整流板部２９は、遠心ファン２８と整流板保持体４３との間に配置される。整流板部２９の外径寸法は、ファンカバー２６の内径寸法よりも小さい。すなわち、整流板部２９の外周は、ファンカバー２６の内周から離間される。整流板部２９は、整流板本体４５と、複数の上流整流板４６と、複数の下流整流板４７とを備える。
【００３７】
整流板本体４５は略円板状に形成される。整流板本体４５は、その中心部に整流板保持体４３の軸受部４８を嵌挿する略円形の貫通孔４９を有する。整流板本体４５は、遠心ファン２８の外径寸法よりも大きく形成される。
【００３８】
上流整流板４６は、静翼である。上流整流板４６は、整流板本体４５の遠心ファン２８の側面に設けられ、電動送風機１２の前方に向けて突出させて形成される。上流整流板４６は、遠心ファン２８の外周に対向させ、かつ遠心ファン２８の外周から若干離間された周縁に配置される。
【００３９】
さらに、上流整流板４６は、整流板本体４５に対して略垂直な円弧壁状に形成される。それぞれの上流整流板４６は、電動送風機１２の長手軸方向視で渦巻状に配置される。それぞれの上流整流板４６は、互いに略等間隔に離間される。上流整流板４６の渦巻方向は遠心ファン２８のファン翼３８の渦巻方向の逆方向に形成される。それぞれの上流整流板４６の間には、整流板本体４５の外周方向に向かって次第に幅広となる案内風路５０が区画される。案内風路５０は、遠心ファン２８から吐出された空気をファンカバー２６の内周に案内する螺旋状の風路である。
【００４０】
下流整流板４７は、整流板本体４５のモータ部２４側の面に設けられ、電動送風機１２の後方に向けて突出させて形成される。下流整流板４７は、整流板本体４５に対して略垂直な円弧壁状に形成される。それぞれの下流整流板４７は、上流整流板４６の渦巻方向とは逆方向の渦巻状に配置される。それぞれの下流整流板４７は、互いに略等間隔に離間される。それぞれの下流整流板４７の間には、流過風路５１が区画される。流過風路５１は、案内風路５０からファンカバー２６の内周に吐出された空気をモータ部２４に案内する風路である。
【００４１】
図３は、本発明に係る電動送風機のモータ部を分解して示した斜視図である。
【００４２】
図２および図３に示すように、電動送風機１２のモータ部２４は、排気口２３を有するモータハウジング５３と、モータハウジング５３の内周面５３ａに設けられた固定子５５と、モータハウジング５３内に回動自在に軸支された回転子５６と、モータハウジング５３に設けられ、回転子５６に電気的に接続された一対のブラシ機構５７とから構成される。固定子５５と、回転子５６と、一対のブラシ機構５７とからモータ５９が構成される。モータ５９は、遠心ファン２８の駆動力を発生させる駆動源である。
【００４３】
モータハウジング５３は、合成樹脂などの絶縁材料を用いて略有底円筒状に形成される。モータハウジング５３には、固定子５５と、回転子５６とが収容される。モータハウジング５３の開口端部６２には、略円筒状の側面部６３から径方向外側に突出させたフランジ部６４が形成される。フランジ部６４は、ファンカバー２６の開口部６５に嵌合される。モータハウジング５３の内部は、開口端部６２のケース部開口６６を介してファンカバー２６の内部に連通される。
【００４４】
モータハウジング５３の側面部６３には、ブラシ機構５７が貫設されたブラシホルダ固定部６７が設けられる。ブラシホルダ固定部６７は、凹没状に形成され、電動送風機１２の前方に開放される。また、モータハウジング５３の側面部６３には、ブラシホルダ固定部６７に併設させて端子保持部６８が設けられる。端子保持部６８は、モータハウジング５３の側面部６３に一体に形成される。
【００４５】
モータハウジング５３の底面部６９は、側面部６３から連続させて形成される。底面部６９の中央部には、電動送風機１２の後方に突出させて略円筒状のモータヘッド部７０が形成される。モータヘッド部７０には、ベアリング７２が収容される。側面部６３は、その後端近傍に排気口２３を有する。
【００４６】
モータハウジング５３のケース部開口６６には、整流板保持体４３が設けられる。ケース部開口６６のうち、整流板保持体４３で覆われていない部分は、モータハウジング５３の内部と、ファンカバー２６の内部とを連通させる連通口（図示省略）である。
【００４７】
整流板保持体４３は、板状に形成され、モータハウジング５３の径方向に架設される。また、整流板保持体４３は、ケース部開口６６の一部を覆う。整流板保持体４３の中央部には、モータハウジング５３の前方に突出させて略有底円筒状の軸受部４８が設けられる。軸受部４８の内周面にはベアリング７３が収容される。軸受部４８の底面部は、モータ５９が挿通される挿通孔７４を有する。
【００４８】
固定子５５は、モータハウジング５３の側面部６３の内周面に設けられる。固定子５５は、モータハウジング５３内に保持された鉄心７５と、鉄心７５に設けられた端子台７７と、鉄心７５に巻回されたフィールド巻線７８（固定子巻線）とを備える。
【００４９】
鉄心７５は、締結孔７５ａを有し、モータハウジング５３にネジなどの締結部材７６で締結される。
【００５０】
端子台７７は、合成樹脂などの絶縁材料で形成される。また、端子台７７は、鉄心７５の一方の端面に当接された矩形の枠状体である。端子台７７は、鉄心７５とともにモータハウジング５３内に保持される。端子台７７の４つの角部には、それぞれ支持台７９が突設される。支持台７９は、角柱形状に形成される。支持台７９の自由端部８０には、それぞれ端子８１が設けられる。端子８１は、導電材料で形成される。
【００５１】
それぞれの端子８１は、導電線（図示省略）によってフィールド巻線７８に電気的に接続される。固定子５５の中心軸を対称軸として向かい合う一対の端子８１ａは、それぞれブラシ機構５７に電気的に接続される。
【００５２】
他方、固定子５５の中心軸を対称軸として向かい合う他の一対の端子８１ｂは、それぞれ電源に電気的に接続される。端子８１ａは、固定子５５の中心軸に向かって屈曲された舌片８２を有する。舌片８２は、固定子５５をモータハウジング５３に固定させると、ブラシホルダ固定部６７の内面を臨む。
【００５３】
舌片８２は、ブラシ機構５７に圧接され、ブラシ機構５７に電気的に接続される。端子８１ａが設けられた支持台７９の自由端部８０は、モータハウジング５３の端子保持部６８に嵌設されて保持される。
【００５４】
回転子５６は、固定子５５の内側に配設される。回転子５６は、その軸芯に配置されたロータ軸８４と、ロータ軸８４に巻回されたフィールド巻線８５（回転子巻線）と、フィールド巻線８５に電気的に接続され、ロータ軸８４に設けられた整流子８６とを備える。
【００５５】
ロータ軸８４は、モータ５９の駆動力を遠心ファン２８に伝達する。ロータ軸８４は、モータハウジング５３のベアリング７２と、整流板保持体４３のベアリング７３とで回転自在に軸支される。ロータ軸８４は、モータハウジング５３の長手方向軸の略同軸上に配設される。ロータ軸８４の前端には、遠心ファン部２２の遠心ファン２８が設けられる。ロータ軸８４は、遠心ファン２８の嵌挿孔４０に嵌挿される。
【００５６】
ブラシ機構５７は、モータハウジング５３のブラシホルダ固定部６７に設けられる。一対のブラシ機構５７は、モータハウジング５３の長手方向の軸芯を対称軸として、ほぼ対向させて配置される。
【００５７】
ブラシ機構５７は、ブラシホルダ固定部６７に貫設されたブラシホルダ８８と、ブラシホルダ８８に摺動自在に収容されたカーボンブラシ８９と、カーボンブラシ８９を回転子５６の整流子８６に押圧付勢させるコイルバネ９０とを備える。
【００５８】
ブラシホルダ８８は、銅合金等の導電材料からなる板材を用いて形成された略角筒形の本体部８８ａと、本体部８８ａの一端から延長されて折り曲げられた蓋部８８ｂと、本体部８８ａの側面に設けられた第一係止舌片９１と、本体部８８ａの側面に設けられた第二係止舌片９２とを備える。
【００５９】
本体部８８ａは、板材を折り曲げ、板材の両端部が互いに若干離間させて突き合わせられる。このため、本体部８８ａは、弾性変形によって縮径可能である。第一係止舌片９１は、ブラシホルダ８８の側面のうち、固定子５５の支持台７９に対向する側面に配置される。第一係止舌片９１は、ブラシホルダ８８の外方に傾斜させて形成され、支持台７９に設けられた端子８１ａの舌片８２に係止される。
【００６０】
他方、第二係止舌片９２は、ブラシホルダ８８の側面のうち、第一係止舌片９１が形成された側面に隣り合う側面に配置される。第二係止舌片９２は、ブラシホルダ８８の外方に傾斜させて形成され、モータハウジング５３の外面に係止される。ブラシホルダ８８は、第一係止舌片９１によってモータハウジング５３から抜出阻止され、第二係止舌片９２によって侵入阻止されることで、モータ部２４に固定される。
【００６１】
カーボンブラシ８９は、ブラシホルダ８８の蓋部８８ｂとの間に介挿されたコイルバネ９０によって開口端に向けて押出付勢され、回転子５６の整流子８６に摺設される。カーボンブラシ８９と、蓋部８８ｂとの間は、導電線（図示省略）で電気的に接続される。
【００６２】
また、図２に示すようなモータ５９のモータハウジング５３への収容は、以下のような構造でなされている。
【００６３】
図４はブラシ機構を取付けた状態のモータハウジングの平面図である。
【００６４】
図３および図４に示すように、固定子５５の鉄心７５には、４角に角取りがなされて平面状の被支持部７５ｂが設けられ、さらに、対向する２辺から突出する突出部７５ｃには、固定子５５をモータハウジング５３に螺着するための締結孔７５ａが設けられる。
【００６５】
一方、モータハウジング５３の内周面５３ａには、対向して、例えばモータハウジング５３の直径上すなわち固定子５５の中心軸を対称軸に２個の支持部５３ｂが設けられる。
【００６６】
この支持部５３ｂは上面が平面状をなし、側面視、台形状で奥行き方向に短かく、鉄心７５の下端まで達していない突起からなる。ブラシ機構５７は各々支持部５３ｂの近傍に位置する。
【００６７】
図５は鉄心をモータハウジングに組込んだ状態を示す平面図である。
【００６８】
図５に示すように、モータハウジング５３に収容されたモータ５９の位置決め、支持は、対角線上に位置する鉄心７５の被支持部７５ｂを直径上に位置するモータハウジング５３の２個の支持部５３ｂに当接して行われる。
【００６９】
そして、鉄心７５の締結孔７５ａを貫通する締結部材７６をモータハウジング５３の底面部６９近傍に設けた螺合孔（図示省略）に螺合させることで、固定子５５はモータハウジング５３に取り付けられる。
【００７０】
鉄心７５すなわちモータ５９がモータハウジング５３に収容された状態では、鉄心７５とモータハウジング５３の内周面５３ａ間には、支持部５３ｂを挟んで空隙９５、空隙９６が形成される。空隙９５および空隙９６は、短い突起である支持部５３ｂによってわずかに遮られる以外は連通し、鉄心７５とモータハウジング５３の内周面５３ａ間には、略リング状の通気路９７が形成される。
【００７１】
空隙９５、空隙９６は、図２に示すように、案内風路５０に連通し、さらに、排気口２３に連通する。
【００７２】
なお、支持部は突起に限らず奥行き方向に長く、鉄心の下端まで達している突条であってもよく、この突条を用いる場合には、モータハウジングの剛性を増すためのリブの作用もなす。また、支持部の形状は台形状に限定する必要はない。
【００７３】
２個の支持部を対向する２辺に設ける場合には、必ずしも辺に直交する直径上に設ける必要はなく、直径の近傍であってもよい。
【００７４】
次に、本実施形態に係る電動送風機１２を備えた電気掃除機１の掃除動作を説明する。
【００７５】
図１に示すように、電気掃除機１の使用者は、先ず、掃除機本体２の接続口２ａに集塵ホース３を接続する。次いで、手元操作管４に延長管７を接続し、延長管７に吸込口体８を接続する。
【００７６】
さらに、掃除機本体２から電源コード１３を引き出して、商用電源を供給するコンセント（図示省略）に電源プラグ１４を接続する。
【００７７】
しかる後、吸込口体８を床面などの被掃除面上に配置するとともに、把持部５を把持して起動スイッチ６ｂを操作する。
【００７８】
そうすると、操作部６によって設定された動作モードに応じて電動送風機１２が所定の動作モードで駆動される。
【００７９】
次いで、使用者は、前進および後退を交互に繰り返して吸込口体８を走行させる。そうすると、吸込口体８は、被掃除面から空気とともに塵埃を吸い込む。
【００８０】
吸込口体８に吸い込まれた含塵空気は、延長管７と手元操作管４と集塵ホース３とを順次に通過した後、掃除機本体２の接続口２ａに案内される。
【００８１】
掃除機本体２の接続口２ａに案内された含塵空気は、掃除機本体２の内部に収容された塵埃分離集塵部に吸い込まれる。塵埃分離集塵部に吸い込まれた含塵空気は、塵埃と空気とに分離される。含塵空気から分離された塵埃は、塵埃分離集塵部に捕集される。
【００８２】
図２に示すように、他方、含塵空気から分離された空気は、電動送風機１２のファンカバー２６の吸気口２１から遠心ファン２８の吸込口２７に吸い込まれる。
【００８３】
遠心ファン２８の吸込口２７に吸い込まれた空気は、ファン翼３８に沿って吸気風路３９を遠心ファン部２２の外周側へと案内され、遠心ファン部２２の外方に向けて吹き出される。遠心ファン部２２から吹き出された空気は、整流板部２９の上流整流板４６に案内されて案内風路５０を渦巻状に通過して整流板本体４５の外周側に吹き出される。
【００８４】
案内風路５０から吹き出された空気は、モータハウジング５３の内周を介して下流整流板４７の流過風路５１へと案内される。
【００８５】
流過風路５１に案内された空気は、渦巻状に整流板部２９の中心に向けて流れ、モータハウジング５３のケース部開口６６に架設された整流板保持体４３に区画された連通口からモータハウジング５３内に旋回流あるいは半回流（円弧状流）として流入する。
【００８６】
図５に示すように、モータハウジング５３内に流入した旋回流あるいは半回流の空気は、空隙９５、９６により形成される略リング状の通気路９７を介して、排気口２３からモータハウジング５３外に排気される。
【００８７】
この気流がモータハウジング５３内を流れる過程において、鉄心の４角に設けた被支持部がモータハウジングの内周面に当接して、通気路を４分割し、通気路を気流が旋回流あるいは半回流に流れず、直線的に流れて、モータおよびブラシ機構を十分に冷却できない従来とは異なり、本電動送風機１２は、気流が略リング状の通気路を介してモータハウジング５３内を旋回流あるいは半回流として流れ、モータおよびブラシ機構が十分に冷却される。
【００８８】
なお、支持部を突起に替えて突条にした場合にも、モータハウジングの内周面と鉄心間には、ほぼ半円弧状の通気路が形成され、従来に比べてモータおよびブラシ機構の冷却効果が向上する。
【００８９】
本実施形態の電動送風機によれば、通気量を増加させ、モータおよびブラシ機構を十分に冷却できる電動送風機が実現する。
【００９０】
また、本実施形態の電気掃除機によれば、通気量を増加させ、モータおよびブラシ機構を十分に冷却できる電動送風機を備えた電気掃除機が実現する。
【００９１】
上記実施形態では、電動送風機をキャニスタ型の電気掃除機に用いる例で説明したが、アップライト型、ハンディ型の電気掃除機にも用いることができる。
【図面の簡単な説明】
【００９２】
【図１】本発明に係る電気掃除機の外観を示す斜視図。
【図２】本発明に係る電動送風機を部分的に切り欠いて示した側面図。
【図３】本発明に係る電動送風機のモータ部を分解して示した斜視図。
【図４】本発明に係る電動送風機のブラシ機構を取付けた状態のモータハウジングの平面図。
【図５】本発明に係る電動送風機の鉄心をモータハウジングに組込んだ状態を示す平面図。
【図６】従来の電動送風機の鉄心をモータハウジングに組込んだ状態を示す平面図。
【符号の説明】
【００９３】
１  電気掃除機
２  掃除機本体
２ａ  接続口
３  集塵ホース
４  手元操作管
５  把持部
６  操作部
６ａ  切スイッチ
６ｂ  起動スイッチ
７  延長管
８  吸込口体
１２  電動送風機
１３  電源コード
１４  電源プラグ
２１  吸気口
２２  遠心ファン部
２３  排気口
２４  モータ部
２６  ファンカバー
２７  吸込口
２８  遠心ファン
２９  整流板部
３１  底面部
３２  側面部
３４  シール部材
３６  上板
３７  下板
３８  ファン翼
３９  吸気風路
４０  嵌挿孔
４１  吐出口
４３  整流板保持体
４５  整流板本体
４６  上流整流板
４７  下流整流板
４８  軸受部
４９  貫通孔
５０  案内風路
５１  流過風路
５３  モータハウジング
５３ａ  内周面
５３ｂ  支持部
５５  固定子
５６  回転子
５７  ブラシ機構
５９  モータ
６２  開口端部
６３  側面部
６４  フランジ部
６５  開口部
６６  ケース部開口
６７  ブラシホルダ固定部
６８  端子保持部
６９  底面部
７０  モータヘッド部
７２  ベアリング
７３  ベアリング
７４  挿通孔
７５  鉄心
７５ａ  締結孔
７５ｂ  被支持部
７５ｃ  突出部
７６  締結部材
７７  端子台
７８  フィールド巻線
７９  支持台
８０  自由端部
８１、８１ａ、８１ｂ  端子
８２  舌片
８４  ロータ軸
８５  フィールド巻線
８６  整流子
８８  ブラシホルダ
８８ａ  本体部
８８ｂ  蓋部
８９  カーボンブラシ
９０  コイルバネ
９１  第一係止舌片
９２  第二係止舌片
９３  リブ
９３ａ  凹没部
９５  空隙
９６  空隙
９７  通気路
【図１】
2010116866.tif 000003
【図２】
2010116866.tif 000004
【図３】
2010116866.tif 000005
【図４】
2010116866.tif 000006
【図５】
2010116866.tif 000007
【図６】
2010116866.tif 000008